(57)【要約】【課題】ユーザ自身がわざわざ給紙部に用紙をセットすることなく用紙の裏面を裏紙として使用でき、かつ、文書中心の書類の印刷に使用できる画像形成装置を提供する。【解決手段】画像形成装置は、ユーザにより入力される入力画像データの印刷指示を受け付ける（Ｓ１０２）。このときに、フォーマット画像データを用紙の裏面に印刷するか否かを確認するための確認情報をユーザに提示する（Ｓ１０３）。確認情報に応じたユーザによる確認結果を受け付ける（Ｓ１０７）。確認結果がフォーマット画像データの印刷を指示しない旨を表す場合（Ｓ１０８−Ｎｏ）、入力画像データをそれぞれ用紙の表面に印刷する（Ｓ１１０）。確認結果がフォーマット画像データの印刷を指示する旨を表す場合（Ｓ１０８−Ｙｅｓ）、入力画像データをそれぞれ用紙の表面に印刷し、フォーマット画像データを用紙の裏面に印刷する（Ｓ１２０）。【選択図】図５
2015074115.tif 000002
【特許請求の範囲】
【請求項１】
画像データに基づいて画像を形成し、その画像を用紙に印刷する画像形成部と、
用紙の裏面を裏紙として使用するために予め作成された画像データであるフォーマット画像データを格納する記憶部と、
前記画像形成部を制御する制御部と、
を具備し、
前記制御部は、
ユーザにより入力される画像データである入力画像データの印刷指示を受け付ける印刷指示受付部と、
前記入力画像データの印刷指示を受け付けたときに、前記フォーマット画像データを用紙の裏面に印刷するか否かを確認するための確認情報を前記ユーザに提示する裏紙印刷確認部と、
前記確認情報に応じた前記ユーザによる確認結果を受け付ける確認結果受付部と、
前記確認結果が前記フォーマット画像データの印刷を指示しない旨を表す場合、前記入力画像データをそれぞれ用紙の表面に印刷するように前記画像形成部を制御する通常印刷処理部と、
前記確認結果が前記フォーマット画像データの印刷を指示する旨を表す場合、前記入力画像データをそれぞれ用紙の表面に印刷し、前記フォーマット画像データを用紙の裏面に印刷するように前記画像形成部を制御する裏紙使用印刷処理部と、
を具備することを特徴とする画像形成装置。
【請求項２】
前記通常印刷処理部は、
前記確認結果が前記フォーマット画像データの印刷を指示しない旨を表していて、前記入力画像データの印刷指示に対して片面印刷が指示されている場合、前記入力画像データをそれぞれ用紙の表面に印刷するように前記画像形成部を制御し、
前記確認結果が前記フォーマット画像データの印刷を指示しない旨を表していて、前記入力画像データの印刷指示に対して両面印刷が指示されている場合、前記入力画像データのうちの奇数ページ分の入力画像データをそれぞれ用紙の表面に印刷し、偶数ページ分の入力画像データをそれぞれ用紙の裏面に印刷するように前記画像形成部を制御する、
ことを特徴とする請求項１に記載の画像形成装置。
【請求項３】
前記裏紙使用印刷処理部は、
前記確認結果が前記フォーマット画像データの印刷を指示する旨を表していて、前記入力画像データの印刷指示に対して片面印刷が指示されている場合、前記入力画像データをそれぞれ用紙の表面に印刷し、前記フォーマット画像データを用紙の裏面に印刷するように前記画像形成部を制御し、
前記確認結果が前記フォーマット画像データの印刷を指示する旨を表していて、前記入力画像データの印刷指示に対して両面印刷が指示されていて、前記入力画像データの印刷予定のページ数が奇数である場合、前記入力画像データのうちの奇数ページ分の入力画像データをそれぞれ用紙の表面に印刷し、偶数ページ分の入力画像データをそれぞれ用紙の裏面に印刷し、前記フォーマット画像データを、最終ページ分の入力画像データが印刷される用紙の裏面に印刷するように前記画像形成部を制御する、
を更に具備することを特徴とする請求項１又は２に記載の画像形成装置。
【請求項４】
前記裏紙使用印刷処理部は、
前記確認結果が前記フォーマット画像データの印刷を指示する旨を表していて、前記入力画像データの印刷指示に対して片面印刷が指示されている場合、前記入力画像データを、それぞれ、用紙の表面に印刷し、前記フォーマット画像データを用紙の裏面に印刷するように前記画像形成部を制御し、
前記確認結果が前記フォーマット画像データの印刷を指示する旨を表していて、前記入力画像データの印刷指示に対して両面印刷が指示されていて、前記入力画像データの印刷予定のページ数が奇数である場合、前記入力画像データのうちの先頭ページ及び偶数ページ分の入力画像データをそれぞれ用紙の表面に印刷し、前記先頭ページ以外の奇数ページ分の入力画像データを、それぞれ、前記先頭ページ分の入力画像データが印刷される用紙以外の用紙の裏面に印刷し、前記フォーマット画像データを、前記先頭ページ分の入力画像データが印刷される用紙の裏面に印刷するように前記画像形成部を制御する、
ことを特徴とする請求項１又は２に記載の画像形成装置。
【請求項５】
前記裏紙使用印刷処理部は、
前記確認結果が前記フォーマット画像データの印刷を指示する旨を表していて、前記入力画像データの印刷指示に対して、片面印刷が指示されていて、前記入力画像データの印刷予定のページ数から前記ユーザによりページが指定されている場合、前記入力画像データをそれぞれ用紙の表面に印刷し、前記フォーマット画像データを、前記指定されたページ分の入力画像データが印刷される用紙の裏面に印刷するように前記画像形成部を制御する、
ことを特徴とする請求項１乃至４のいずれかに記載の画像形成装置。
【請求項６】
前記指定されたページ以外のページ分の入力画像データは、重要情報を含むページ分の入力画像データであり、
前記指定されたページ分の入力画像データは、前記入力画像データの印刷指示に対して、前記ユーザにより指定される、
ことを特徴とする請求項５に記載の画像形成装置。
【請求項７】
前記制御部は、
二次印刷を防止するためのドキュメントコントロールパターンを用紙に埋め込むドキュメントコントロール部
を更に具備し、
前記裏紙使用印刷処理部は、
前記確認結果が前記フォーマット画像データの印刷を指示する旨を表していて、前記入力画像データの印刷指示に対して、片面印刷が指示されていて、前記入力画像データの印刷予定のページ数から前記ユーザによりページが指定されている場合、
前記入力画像データのうちの、前記指定されたページ以外のページ分の入力画像データが印刷される用紙に対して、前記ドキュメントコントロールパターンを埋め込むように前記ドキュメントコントロール部を制御し、
前記入力画像データをそれぞれ用紙の表面に印刷し、前記フォーマット画像データを、前記指定されたページ分の入力画像データが印刷される用紙の裏面に印刷するように前記画像形成部を制御する、
ことを特徴とする請求項６に記載の画像形成装置。
【請求項８】
前記記憶部には、前記フォーマット画像データである第１のフォーマット画像データと、用紙の一部分に画像データが割り付けられた第２のフォーマット画像データとが格納され、
前記第２のフォーマット画像データは、入力画像データの一部に重要情報が含まれている場合に前記ユーザにより選択される、
ことを特徴とする請求項１乃至７のいずれかに記載の画像形成装置。
【請求項９】
前記画像形成部に用紙を給紙するための給紙部、
を更に具備し、
前記給紙部から給紙される用紙のサイズは、規格で定められたコピー用紙である、
ことを特徴とする請求項１乃至８のいずれかに記載の画像形成装置。
【請求項１０】
前記制御部は、ネットワークを介して端末装置と接続され、
前記印刷指示受付部は、前記入力画像データの印刷指示を前記端末装置から受け付け、
前記裏紙印刷確認部は、前記入力画像データの印刷指示を受け付けたときに、前記フォーマット画像データを用紙の裏面に印刷するか否かを確認するための前記確認情報を前記端末装置に送信し、
前記確認結果受付部は、前記確認情報に応じた前記確認結果を前記端末装置から受け付ける、
ことを特徴とする請求項１乃至９のいずれかに記載の画像形成装置。
【発明の詳細な説明】
【技術分野】
【０００１】
本発明は、電子写真方式で画像形成を行う複写機、複合機、レーザープリンタ及びファクシミリ等の画像形成装置に関する。
【背景技術】
【０００２】
複写機等の画像形成装置は、画像形成部と、給紙部（給紙カセット及び手差し給紙トレイ）とを備えている。ユーザにより入力される画像データである入力画像データの印刷指示が行なわれた場合、画像形成部は、入力画像データに基づいて画像を形成し、その画像を、給紙部（給紙カセット又は手差し給紙トレイ）から給紙される用紙に印刷する。
【０００３】
入力画像データの印刷指示に対して、ユーザにより片面印刷が指示されている場合、画像形成部は、入力画像データをそれぞれ用紙の表面に印刷する。また、入力画像データの印刷指示に対して、ユーザにより両面印刷が指示されている場合、画像形成部は、入力画像データのうちの奇数ページ分の入力画像データをそれぞれ用紙の表面に印刷し、偶数ページ分の入力画像データをそれぞれ用紙の裏面に印刷する。
【０００４】
給紙部から給紙される用紙は、国際規格（Ａ版）や国内規格（Ｂ版）で定められたコピー用紙である。コピー用紙は、ＰＰＣ（Plain Paper Copier）用紙、普通紙などとも呼ばれ、画像形成装置で一般的に使用されている用紙である。印刷品質などはあまり高くないが、安価なため、主に、文書中心の書類の印刷に使用される。
【０００５】
しかし、職場などでは、使用される用紙の枚数が多く、ユーザは、片面印刷された使用済みの用紙の裏面を裏紙として使用する場合がある。
【０００６】
例えば、職場において、書類を複数の人に閲覧してもらいたいときに使われる回覧用名簿や、担当者の代わりに電話を受けた人がその担当者に対してメモを残すときに使われる電話メモなどは、ユーザがフォーマットを予めに決めておけば、片面印刷された使用済みの用紙の裏面を、裏紙として使用することができる。
【０００７】
しかしながら、使用済みの用紙の裏面を裏紙として使用する度に、ユーザは、片面印刷された使用済みの用紙を、その裏面が裏紙として使用されるように、自身で、わざわざ、給紙部（給紙カセット又は手差し給紙トレイ）にセットしなければならない。
【０００８】
また、片面印刷された使用済みの用紙が給紙部（給紙カセット又は手差し給紙トレイ）にセットされていることを知らずに（あるいは忘れて）、ユーザは、入力画像データの印刷指示に対して両面印刷を指示してしまう可能性がある。
【０００９】
そこで、ユーザ自身がわざわざ給紙部に用紙をセットすることなく、用紙の裏面を裏紙として使用できることが望まれる。
【００１０】
特許文献１には、再利用を図ったカレンダーが開示されている。特許文献１に開示されたカレンダーにおいて、カレンダー用紙は歴部と再利用部とで構成されている。カレンダー用紙の歴部の表面には、日にちが印刷されている。カレンダー用紙の再利用部の表面には、写真が印刷され、その裏面には、複数枚のポストカードが印刷されている。カレンダー用紙が使用済みになった場合に、再利用部はポストカードとして再利用される。
【先行技術文献】
【特許文献】
【００１１】
【特許文献１】特開２０１１−１０１９８１号公報
【発明の概要】
【発明が解決しようとする課題】
【００１２】
しかしながら、特許文献１に開示された技術は、文書中心の書類の印刷に使用されるものではない。その理由として、歴は予め決められているものであり、ある年の月日及び曜日は、祝日などの休日を除けば、世界中の人に共通である。このため、カレンダー用紙に印刷される月日及び曜日についても予め決まっている。即ち、カレンダー用紙の両面には予め決められたものが印刷される。
【００１３】
一方、職場などでユーザが使用する書類は、予め決められた文書の書類もあるが、日々変化するような文書中心の書類が多い。特許文献１のように用紙の両面に予め決められたものを印刷する技術は、文書中心の書類の印刷には不向きである。しかも、文書中心の書類の印刷に使用されるものでもない。
【００１４】
本発明は、上記従来の問題点に鑑みてなされたものであって、ユーザ自身がわざわざ給紙部に用紙をセットすることなく用紙の裏面を裏紙として使用でき、かつ、ユーザが文書中心の書類の印刷に使用できる画像形成装置を提供することを目的とする。
【課題を解決するための手段】
【００１５】
本発明の画像形成装置は、画像データに基づいて画像を形成し、その画像を用紙に印刷する画像形成部と、用紙の裏面を裏紙として使用するために予め作成された画像データであるフォーマット画像データを格納する記憶部と、前記画像形成部を制御する制御部と、を具備し、前記制御部は、ユーザにより入力される画像データである入力画像データの印刷指示を受け付ける印刷指示受付部と、前記入力画像データの印刷指示を受け付けたときに、前記フォーマット画像データを用紙の裏面に印刷するか否かを確認するための確認情報を前記ユーザに提示する裏紙印刷確認部と、前記確認情報に応じた前記ユーザによる確認結果を受け付ける確認結果受付部と、前記確認結果が前記フォーマット画像データの印刷を指示しない旨を表す場合、前記入力画像データをそれぞれ用紙の表面に印刷するように前記画像形成部を制御する通常印刷処理部と、前記確認結果が前記フォーマット画像データの印刷を指示する旨を表す場合、前記入力画像データをそれぞれ用紙の表面に印刷し、前記フォーマット画像データを用紙の裏面に印刷するように前記画像形成部を制御する裏紙使用印刷処理部と、を具備することを特徴とする。
【００１６】
本発明の画像形成装置において、前記通常印刷処理部は、前記確認結果が前記フォーマット画像データの印刷を指示しない旨を表していて、前記入力画像データの印刷指示に対して片面印刷が指示されている場合、前記入力画像データをそれぞれ用紙の表面に印刷するように前記画像形成部を制御し、前記確認結果が前記フォーマット画像データの印刷を指示しない旨を表していて、前記入力画像データの印刷指示に対して両面印刷が指示されている場合、前記入力画像データのうちの奇数ページ分の入力画像データをそれぞれ用紙の表面に印刷し、偶数ページ分の入力画像データをそれぞれ用紙の裏面に印刷するように前記画像形成部を制御する、ことを特徴とする。
【００１７】
本発明の画像形成装置において、前記裏紙使用印刷処理部は、前記確認結果が前記フォーマット画像データの印刷を指示する旨を表していて、前記入力画像データの印刷指示に対して片面印刷が指示されている場合、前記入力画像データをそれぞれ用紙の表面に印刷し、前記フォーマット画像データを用紙の裏面に印刷するように前記画像形成部を制御し、前記確認結果が前記フォーマット画像データの印刷を指示する旨を表していて、前記入力画像データの印刷指示に対して両面印刷が指示されていて、前記入力画像データの印刷予定のページ数が奇数である場合、前記入力画像データのうちの奇数ページ分の入力画像データをそれぞれ用紙の表面に印刷し、偶数ページ分の入力画像データをそれぞれ用紙の裏面に印刷し、前記フォーマット画像データを、最終ページ分の入力画像データが印刷される用紙の裏面に印刷するように前記画像形成部を制御する、ことを特徴とする。
【００１８】
本発明の画像形成装置において、前記裏紙使用印刷処理部は、前記確認結果が前記フォーマット画像データの印刷を指示する旨を表していて、前記入力画像データの印刷指示に対して片面印刷が指示されている場合、前記入力画像データを、それぞれ、用紙の表面に印刷し、前記フォーマット画像データを用紙の裏面に印刷するように前記画像形成部を制御し、前記確認結果が前記フォーマット画像データの印刷を指示する旨を表していて、前記入力画像データの印刷指示に対して両面印刷が指示されていて、前記入力画像データの印刷予定のページ数が奇数である場合、前記入力画像データのうちの先頭ページ及び偶数ページ分の入力画像データをそれぞれ用紙の表面に印刷し、前記先頭ページ以外の奇数ページ分の入力画像データを、それぞれ、前記先頭ページ分の入力画像データが印刷される用紙以外の用紙の裏面に印刷し、前記フォーマット画像データを、前記先頭ページ分の入力画像データが印刷される用紙の裏面に印刷するように前記画像形成部を制御する、ことを特徴とする。
【００１９】
本発明の画像形成装置において、前記裏紙使用印刷処理部は、前記確認結果が前記フォーマット画像データの印刷を指示する旨を表していて、前記入力画像データの印刷指示に対して、片面印刷が指示されていて、前記入力画像データの印刷予定のページ数から前記ユーザによりページが指定されている場合、前記入力画像データをそれぞれ用紙の表面に印刷し、前記フォーマット画像データを、前記指定されたページ分の入力画像データが印刷される用紙の裏面に印刷するように前記画像形成部を制御する、ことを特徴とする。
【００２０】
本発明の画像形成装置において、前記指定されたページ以外のページ分の入力画像データは、重要情報を含むページ分の入力画像データであり、前記指定されたページ分の入力画像データは、前記入力画像データの印刷指示に対して、前記ユーザにより指定される、ことを特徴とする。
【００２１】
本発明の画像形成装置において、前記制御部は、二次印刷を防止するためのドキュメントコントロールパターンを用紙に埋め込むドキュメントコントロール部を更に具備し、前記裏紙使用印刷処理部は、前記確認結果が前記フォーマット画像データの印刷を指示する旨を表していて、前記入力画像データの印刷指示に対して、片面印刷が指示されていて、前記入力画像データの印刷予定のページ数から前記ユーザによりページが指定されている場合、前記入力画像データのうちの、前記指定されたページ以外のページ分の入力画像データが印刷される用紙に対して、前記ドキュメントコントロールパターンを埋め込むように前記ドキュメントコントロール部を制御し、前記入力画像データをそれぞれ用紙の表面に印刷し、前記フォーマット画像データを、前記指定されたページ分の入力画像データが印刷される用紙の裏面に印刷するように前記画像形成部を制御する、ことを特徴とする。
【００２２】
本発明の画像形成装置において、前記記憶部には、前記フォーマット画像データである第１のフォーマット画像データと、用紙の一部分に画像データが割り付けられた第２のフォーマット画像データとが格納され、前記第２のフォーマット画像データは、入力画像データの一部に重要情報が含まれている場合に前記ユーザにより選択される、ことを特徴とする。
【００２３】
本発明の画像形成装置において、前記画像形成部に用紙を給紙するための給紙部、を更に具備し、前記給紙部から給紙される用紙のサイズは、規格で定められたコピー用紙である、ことを特徴とする。
【００２４】
本発明の画像形成装置において、前記制御部は、ネットワークを介して端末装置と接続され、前記印刷指示受付部は、前記入力画像データの印刷指示を前記端末装置から受け付け、前記裏紙印刷確認部は、前記入力画像データの印刷指示を受け付けたときに、前記フォーマット画像データを用紙の裏面に印刷するか否かを確認するための前記確認情報を前記端末装置に送信し、前記確認結果受付部は、前記確認情報に応じた前記確認結果を前記端末装置から受け付ける、ことを特徴とする。
【発明の効果】
【００２５】
本発明によれば、用紙の裏面を裏紙として使用する場合に、フォーマット画像データが用紙の裏面に印刷されるため、ユーザ自身がわざわざ給紙部に用紙をセットすることなく用紙の裏面を裏紙として使用することができる。また、本発明によれば、用紙の裏面を裏紙として使用するか否か（フォーマット画像データを用紙の裏面に印刷するか否か）について、確認情報によりユーザに確認を求めているため、特許文献１のように用紙の両面に予め決められたものを印刷する技術とは異なり、ユーザは、日々変化するような文書中心の書類の印刷に使用することができる。
【図面の簡単な説明】
【００２６】
【図１】本発明の第１実施形態に係る画像形成装置１００の全体の構成を示す図である。
【図２】本発明の第１実施形態に係る画像形成装置１００の電気的構成を示すブロック図である。
【図３】本発明の第１実施形態に係る画像形成装置１００の記憶部１２０に格納されたフォーマット画像データＳＤ１を示す図である。
【図４】本発明の第１実施形態に係る画像形成装置１００の記憶部１２０に更に格納されたフォーマット画像データＳＤ２を示す図である。
【図５】本発明の第１実施形態に係る画像形成装置１００の動作として、端末装置ＰＣからネットワークＮＥを介して送信された画像データを入力画像データとして入力したときの画像形成装置１００の動作を示すフローチャートである。
【図６】本発明の第１実施形態に係る画像形成装置１００の他の動作として、読み取られた画像データを入力画像データとして入力したときの画像形成装置１００の動作を示すフローチャートである。
【図７】本発明の第１実施形態に係る画像形成装置１００の動作として、通常印刷処理（Ｓ１１０）を示すフローチャートである。
【図８】本発明の第１実施形態に係る画像形成装置１００の動作として、裏紙使用印刷処理（Ｓ１２０）を示すフローチャートである。
【図９】本発明の第１実施形態に係る画像形成装置１００の動作を説明するための図である。
【図１０】本発明の第１実施形態に係る画像形成装置１００の動作を説明するための図である。
【図１１】本発明の第２実施形態に係る画像形成装置１００の動作として、裏紙使用印刷処理（Ｓ１２０）を示すフローチャートである。
【図１２】本発明の第２実施形態に係る画像形成装置１００の動作として、裏紙使用印刷処理（Ｓ１２０）内の裏紙使用両面印刷処理（Ｓ２０２）を示すフローチャートである。
【図１３】本発明の第１及び第２実施形態に係る画像形成装置１００の動作を説明するための図である。
【図１４】本発明の第２実施形態に係る画像形成装置１００の動作を説明するための図である。
【図１５】本発明の第２実施形態に係る画像形成装置１００の他の動作として、裏紙使用印刷処理（Ｓ１２０）内の裏紙使用両面印刷処理（Ｓ２０２）を示すフローチャートである。
【図１６】本発明の第２実施形態に係る画像形成装置１００の他の動作を説明するための図である。
【図１７】本発明の第３実施形態に係る画像形成装置１００の動作として、裏紙使用印刷処理（Ｓ１２０）を示すフローチャートである。
【図１８】本発明の第３実施形態に係る画像形成装置１００の動作を説明するための図である。
【図１９】本発明の第４実施形態に係る画像形成装置１００の電気的構成を示すブロック図である。
【図２０】本発明の第４実施形態に係る画像形成装置１００の動作として、裏紙使用印刷処理（Ｓ１２０）を示すフローチャートである。
【図２１】本発明の第４実施形態に係る画像形成装置１００の動作を説明するための図である。
【図２２】本発明の第５実施形態に係る画像形成装置１００の記憶部１２０に更に格納されたフォーマット画像データＳＤ３を示す図である。
【図２３】本発明の第５実施形態に係る画像形成装置１００の動作を説明するための図である。
【図２４】本発明の第５実施形態に係る画像形成装置１００の動作を説明するための図である。
【発明を実施するための形態】
【００２７】
以下、図面を参照しながら本発明の画像形成装置の実施形態について説明する。
【００２８】
［第１実施形態］
図１は、本発明の第１実施形態に係る画像形成装置１００の全体の構成を示す図である。
【００２９】
本実施形態に係る画像形成装置１００は、読み取った原稿の画像データやネットワーク等を介して送信された画像データに基づいて用紙に対して多色および単色の画像を形成する。その画像形成装置１００は、感光体ドラム１０１（１０１ａ〜１０１ｄ）と、現像装置１０２（１０２ａ〜１０２ｄ）と、帯電ローラ（帯電装置）１０３（１０３ａ〜１０３ｄ）と、クリーニングユニット１０４（１０４ａ〜１０４ｄ）と、露光ユニット（露光装置）Ｅと、画像形成部Ｐａ〜Ｐｄと、中間転写ベルト１１と、一次転写ローラ１３（１３ａ〜１３ｄ）と、二次転写ローラ１４と、定着装置１５と、用紙搬送路Ｐ１、Ｐ２、Ｐ３と、給紙カセット１６及び手差し給紙トレイ１７（給紙部）と、排紙トレイ１８とを具備している。
【００３０】
画像形成装置１００は、ブラック（Ｋ）及びカラー画像を色分解して得られる減法混色の３原色であるシアン（Ｃ）、マゼンタ（Ｍ）、イエロー（Ｙ）の４色の各色相に対応した画像データを用いて画像形成部Ｐａ〜Ｐｄにおいて画像形成を行う。
【００３１】
画像形成部Ｐａ〜Ｐｄは、画像データに基づいて画像を形成し、その画像を用紙に印刷する。画像形成部Ｐａ〜Ｐｄは、同様の構成であり、例えばブラックの画像形成部Ｐａは、感光体ドラム１０１ａ、現像装置１０２ａ、帯電ローラ１０３ａ、一次転写ローラ１３ａ及びクリーニングユニット１０４ａ等から構成される。この画像形成部Ｐａ〜Ｐｄは、中間転写ベルト１１の移動方向（副走査方向）に一列に配列されている。
【００３２】
帯電ローラ１０３は、感光体ドラム１０１を均一に帯電させる。具体的には、帯電ローラ１０３は、感光体ドラム１０１の表面を所定の電位に均一に帯電させる接触方式の帯電器である。帯電ローラ１０３に代えて、帯電ブラシを用いた接触方式の帯電器、又は、帯電ワイヤを用いた非接触方式の帯電器を用いることもできる。
【００３３】
露光ユニットＥは、感光体ドラム１０１を露光して静電潜像を形成する。具体的には、露光ユニットＥは、図示しない半導体レーザと、ポリゴンミラー４と、第１反射ミラー７と、第２反射ミラー８とを備えており、ブラック、シアン、マゼンタ及びイエローの各色相の画像データによって変調されたレーザビーム等の光ビームのそれぞれを感光体ドラム１０１ａ〜１０１ｄのそれぞれに照射する。感光体ドラム１０１ａ〜１０１ｄのそれぞれには、ブラック、シアン、マゼンタ及びイエローの各色相の画像データによる静電潜像が形成される。
【００３４】
現像装置１０２は、静電潜像にトナーを付着させて静電潜像を現像する。具体的には、現像装置１０２は、静電潜像が形成された感光体ドラム１０１の表面にトナーを供給し、静電潜像をトナー像に現像する。現像装置１０２ａ〜１０２ｄのそれぞれは、ブラック、シアン、マゼンタ及びイエローの各色相のトナーを収納しており、感光体ドラム１０１ａ〜１０１ｄのそれぞれに形成された各色相の静電潜像をブラック、シアン、マゼンタ及びイエローの各色相のトナー像に顕像化する。クリーニングユニット１０４は、現像・画像転写後における感光体ドラム１０１上の表面に残留したトナーを除去・回収する。
【００３５】
感光体ドラム１０１の上方に配置されている中間転写ベルト１１は、駆動ローラ１１ａと従動ローラ１１ｂとの間に張架されてループ状の移動経路を形成している。中間転写ベルト１１の外周面は、感光体ドラム１０１ｄ、感光体ドラム１０１ｃ、感光体ドラム１０１ｂ及び感光体ドラム１０１ａにこの順に対向する。この中間転写ベルト１１を挟んで各感光体ドラム１０１ａ〜１０１ｄに対向する位置に、一次転写ローラ１３ａ〜１３ｄが配置されている。中間転写ベルト１１が感光体ドラム１０１ａ〜１０１ｄに対向する位置のそれぞれが一次転写位置である。また、中間転写ベルト１１は、厚さ１００〜１５０μｍ程度のフィルムで形成されている。
【００３６】
一次転写ローラ１３ａ〜１３ｄには、感光体ドラム１０１ａ〜１０１ｄの表面に担持されたトナー像を中間転写ベルト１１上に転写するために、トナーの帯電極性と逆極性の一次転写バイアスが定電圧制御によって印加される。これによって、感光体ドラム１０１（１０１ａ〜１０１ｄ）に形成された各色相のトナー像は中間転写ベルト１１の外周面に順次重ねて転写され、中間転写ベルト１１の外周面にフルカラーのトナー像が形成される。
【００３７】
但し、イエロー、マゼンタ、シアン及びブラックの色相の一部のみの画像データが入力された場合には、４つの感光体ドラム１０１ａ〜１０１ｄのうち、入力された画像データの色相に対応する一部の感光体１０１のみにおいて静電潜像及びトナー像の形成が行われる。例えば、モノクロ画像形成時には、ブラックの色相に対応した感光体ドラム１０１ａのみにおいて静電潜像の形成及びトナー像の形成が行われ、中間転写ベルト１１の外周面にはブラックのトナー像のみが転写される。
【００３８】
各一次転写ローラ１３ａ〜１３ｄは、直径８〜１０ｍｍの金属（例えばステンレス）を素材とする軸の表面を導電性の弾性材（例えばＥＰＤＭ，発泡ウレタン等）により被覆して構成されており、導電性の弾性材によって中間転写ベルト１１に均一に高電圧を印加する。
【００３９】
各一次転写位置において中間転写ベルト１１の外周面に転写されたトナー像は、中間転写ベルト１１の回転によって、二次転写ローラ１４との対向位置である二次転写位置に搬送される。二次転写ローラ１４は、画像形成時において、内周面が駆動ローラ１１ａの周面に接触する中間転写ベルト１１の外周面に所定のニップ圧で圧接されている。
【００４０】
給紙部（給紙カセット１６又は手差し給紙トレイ１７）から給紙された用紙が二次転写ローラ１４と中間転写ベルト１１との間を通過する際に、二次転写ローラ１４にトナーの帯電極性とは逆極性の高電圧が印加される。これによって、中間転写ベルト１１の外周面から用紙の表面にトナー像が転写される。
【００４１】
なお、感光体ドラム１０１から中間転写ベルト１１に付着したトナーのうち用紙上に転写されずに中間転写ベルト１１上に残存したトナーは、次工程での混色を防止するために、クリーニングユニット１２によって回収される。
【００４２】
トナー像が転写された用紙は、定着装置１５に導かれ、加熱ローラ１５ａと加圧ローラ１５ｂとの間を通過して加熱及び加圧を受ける。これによって、トナー像が、用紙の表面に堅牢に定着する。トナー像が定着した用紙は、排紙ローラ１８ａによって排紙トレイ１８上に排出される。
【００４３】
画像形成装置１００には、給紙カセット１６に収納されている用紙を二次転写ローラ１４と中間転写ベルト１１との間及び定着装置１５を経由して排紙トレイ１８に送るための略垂直方向の用紙搬送路Ｐ１が設けられている。
【００４４】
用紙搬送路Ｐ１には、給紙カセット１６内の用紙を一枚ずつ用紙搬送路Ｐ１内に繰り出すピックアップローラ１６ａ、繰り出された用紙を上方に向けて搬送する搬送ローラｒ、搬送されてきた用紙を所定のタイミングで二次転写ローラ１４と中間転写ベルト１１との間に導くレジストローラ１９、及び、用紙を排紙トレイ１８に排出する排紙ローラ１８ａが配置されている。
【００４５】
また、画像形成装置１００の内部には、手差し給紙トレイ１７からレジストローラ１９に至る間に、ピックアップローラ１７ａ及び搬送ローラｒを配置した用紙搬送路Ｐ２が形成されている。さらに、排紙ローラ１８ａから用紙搬送路Ｐ１におけるレジストローラ１９の上流側に至る間には、用紙搬送路Ｐ３が形成されている。
【００４６】
排紙ローラ１８ａは、正逆両方向に回転自在にされており、用紙の片面に画像を形成する片面画像形成時、及び、用紙の両面に画像を形成する両面画像形成における第２面画像形成時に正転方向に駆動されて用紙を排紙トレイ１８に排出する。
【００４７】
一方、両面画像形成における第１面画像形成時には、排紙ローラ１８ａは、用紙の後端が定着装置１５を通過するまで正転方向に駆動された後、用紙の後端部を挟持した状態で逆転方向に駆動されて用紙を用紙搬送路Ｐ３内に導く。これによって、両面画像形成時に片面のみに画像が形成された用紙は、表裏面及び前後端を反転した状態で用紙搬送路Ｐ１に導かれる。
【００４８】
レジストローラ１９は、給紙カセット１６若しくは手差し給紙トレイ１７から給紙され、又は、用紙搬送路Ｐ３を経由して搬送された用紙を、中間転写ベルト１１の回転に同期したタイミングで二次転写ローラ１４と中間転写ベルト１１との間に導く。このため、レジストローラ１９は、感光体ドラム１０１や中間転写ベルト１１の動作開始時には回転を停止しており、中間転写ベルト１１の回転に先立って給紙又は搬送された用紙は、前端をレジストローラ１９に当接させた状態で用紙搬送路Ｐ１内における移動を停止する。この後、レジストローラ１９は、二次転写ローラ１４と中間転写ベルト１１とが圧接する位置で、用紙の前端部と中間転写ベルト１１上に形成されたトナー像の前端部とが対向するタイミングで回転を開始する。
【００４９】
なお、画像形成部Ｐａ〜Ｐｄの全てにおいて画像形成が行われるフルカラー画像形成時には、一次転写ローラ１３ａ〜１３ｄが中間転写ベルト１１を感光体ドラム１０１ａ〜１０１ｄの全てに圧接させる。一方、画像形成部Ｐａのみにおいて画像形成が行われるモノクロ画像形成時には、一次転写ローラ１３ａのみを中間転写ベルト１１を感光体ドラム１０１ａに圧接させる。
【００５０】
給紙部（給紙カセット１６又は手差し給紙トレイ１７）から給紙される用紙は、国際規格（Ａ版）や国内規格（Ｂ版）で定められ、一般的に使用されているコピー用紙（ＰＰＣ（Plain Paper Copier）用紙、普通紙など）である。
【００５１】
図２は、本発明の第１実施形態に係る画像形成装置１００の電気的構成を示すブロック図である。
【００５２】
画像形成装置１００は、更に、表示装置１１０と、記憶部１２０と、制御部１３０とを具備し、制御部１３０により各部の動作を制御するように構成されている。表示装置１１０は、タッチパネルである表示画面１１１を有している。制御部１３０としてはＣＰＵ（Central Processing Unit）が例示される。この場合、記憶部１２０には、コンピュータが実行可能なコンピュータプログラムが格納されていて、制御部１３０は、そのコンピュータプログラムを読み出して実行する。記憶部１２０には、更に、用紙の裏面を裏紙として使用するために予め作成された画像データであるフォーマット画像データが格納されている。フォーマット画像データは、予め決められたフォーマットで作成されるが、これについては後述する。
【００５３】
また、制御部１３０は、ネットワークＮＥを介して、端末装置ＰＣと接続されている。端末装置ＰＣは、コンピュータが実行可能なコンピュータプログラムが格納された記憶部（図示しない）と、そのコンピュータプログラムを読み出して実行するＣＰＵ（図示しない）と、表示部（図示しない）とを具備している。
【００５４】
制御部１３０は、印刷指示受付部１３１と、裏紙印刷確認部１３２と、確認結果受付部１３３と、通常印刷処理部１３４と、裏紙使用印刷処理部１３５とを具備している。印刷指示受付部１３１は、ユーザにより入力される画像データである入力画像データの印刷指示を受け付ける。裏紙印刷確認部１３２は、入力画像データの印刷指示を受け付けたときに、フォーマット画像データを用紙の裏面に印刷するか否かを確認するための確認情報をユーザに提示する。確認結果受付部１３３は、確認情報に応じたユーザによる確認結果を受け付ける。通常印刷処理部１３４は、確認結果がフォーマット画像データの印刷を指示しない旨を表す場合、入力画像データを用紙の表面に印刷するように画像形成部Ｐａ〜Ｐｄを制御する。裏紙使用印刷処理部１３５は、確認結果がフォーマット画像データの印刷を指示する旨を表す場合、入力画像データを用紙の表面に印刷し、フォーマット画像データを用紙の裏面に印刷するように画像形成部Ｐａ〜Ｐｄを制御する。
【００５５】
図３は、本発明の第１実施形態に係る画像形成装置１００の記憶部１２０に格納されたフォーマット画像データＳＤ１を示す図である。
【００５６】
フォーマット画像データＳＤ１は、例えば、職場において、書類を複数の人に閲覧してもらいたいときに使われる回覧用名簿を表している。フォーマット画像データＳＤ１は、用紙の裏面を裏紙として使用するために予め作成され、記憶部１２０に格納される。フォーマット画像データＳＤ１が用紙の裏面に印刷された場合、回覧用名簿として書類と共に職場内に回覧される。
【００５７】
図４は、本発明の第１実施形態に係る画像形成装置１００の記憶部１２０に更に格納されたフォーマット画像データＳＤ２を示す図である。
【００５８】
フォーマット画像データＳＤ２は、例えば、１枚の用紙に４つの画像データが割り付けられた単位フォーマット画像データＳＤ２１〜ＳＤ２４を含んでいる。単位フォーマット画像データＳＤ２１〜ＳＤ２４は、例えば、職場において、担当者の代わりに電話を受けた人がその担当者に対してメモを残すときに使われる電話メモを表している。フォーマット画像データＳＤ２は、用紙の裏面を裏紙として使用するために予め作成され、記憶部１２０に格納される。フォーマット画像データＳＤ２が用紙の裏面に印刷された場合、フォーマット画像データＳＤ２が印刷された用紙は、単位フォーマット画像データＳＤ２１〜ＳＤ２４が印刷された部分に分けられるように、ハサミやカッターナイフで切られ、切られた部分は電話メモとして使われる。
【００５９】
図５は、本発明の第１実施形態に係る画像形成装置１００の動作として、端末装置ＰＣからネットワークＮＥを介して送信された画像データを入力画像データとして入力したときの画像形成装置１００の動作を示すフローチャートである。
【００６０】
端末装置ＰＣは、ユーザの操作により、入力画像データの印刷を指示する。このとき、入力画像データの印刷指示は、端末装置ＰＣからネットワークＮＥを介して画像形成装置１００の制御部１３０に送信される（Ｓ１０１）。制御部１３０において、印刷指示受付部１３１は、端末装置ＰＣからの入力画像データの印刷指示を受け付ける（Ｓ１０２）。このときに、裏紙印刷確認部１３２は、裏紙を使用するか否か（フォーマット画像データＳＤ１、ＳＤ２を用紙の裏面に印刷するか否か）を確認するための確認情報を、ネットワークＮＥを介して、端末装置ＰＣに送信し、確認情報を表す画面を端末装置ＰＣの表示部に表示させる（Ｓ１０３）。
【００６１】
ユーザが裏紙を使用しない場合（Ｓ１０４−Ｎｏ）、端末装置ＰＣは、ユーザの操作により、フォーマット画像データＳＤ１、ＳＤ２の印刷を指示しない旨を表す確認結果を、ネットワークＮＥを介して、画像形成装置１００の制御部１３０に送信する（Ｓ１０５）。一方、ユーザが裏紙を使用したい場合（Ｓ１０４−Ｙｅｓ）、端末装置ＰＣは、ユーザの操作により、フォーマット画像データＳＤ１、ＳＤ２のうちの１つのフォーマット画像データを選択して、選択されたフォーマット画像データの印刷を指示する旨を表す確認結果を、ネットワークＮＥを介して、画像形成装置１００の制御部１３０に送信する（Ｓ１０６）。
【００６２】
制御部１３０において、確認結果受付部１３３は、端末装置ＰＣから送信された確認結果を受け付ける（Ｓ１０７）。確認結果がフォーマット画像データＳＤ１、ＳＤ２の印刷を指示しない旨を表す場合（Ｓ１０８−Ｎｏ）、通常印刷処理部１３４は、入力画像データを用紙の表面に印刷するように画像形成部Ｐａ〜Ｐｄを制御する（Ｓ１１０；通常印刷処理）。一方、確認結果がフォーマット画像データの印刷を指示する旨を表す場合（Ｓ１０８−Ｙｅｓ）、裏紙使用印刷処理部１３５は、入力画像データを用紙の表面に印刷し、選択されたフォーマット画像データを用紙の裏面に印刷するように画像形成部Ｐａ〜Ｐｄを制御する（Ｓ１２０；裏紙使用印刷処理）。
【００６３】
本実施形態では、入力画像データは、端末装置ＰＣからネットワークＮＥを介して送信された画像データとしているが、読み取られた画像データでも実現できる。この場合、端末装置ＰＣの動作が、ユーザによる表示画面１１１の操作として置き換えられる。
【００６４】
図６は、本発明の第１実施形態に係る画像形成装置１００の他の動作として、読み取られた画像データを入力画像データとして入力したときの画像形成装置１００の動作を示すフローチャートである。
【００６５】
ユーザは、表示画面１１１の操作により、入力画像データの印刷を指示する。このとき、入力画像データの印刷指示は、制御部１３０に送信される（Ｓ１０１）。制御部１３０において、印刷指示受付部１３１は、入力画像データの印刷指示を受け付ける（Ｓ１０２）。このときに、裏紙印刷確認部１３２は、裏紙を使用するか否か（フォーマット画像データＳＤ１、ＳＤ２を用紙の裏面に印刷するか否か）を確認するための確認情報を画面にして表示画面１１１に表示させる（Ｓ１０３）。
【００６６】
ユーザが裏紙を使用しない場合（Ｓ１０４−Ｎｏ）、ユーザは、表示画面１１１の操作により、フォーマット画像データＳＤ１、ＳＤ２の印刷を指示しない旨を表す確認結果を、制御部１３０に送信する（Ｓ１０５）。一方、ユーザが裏紙を使用したい場合（Ｓ１０４−Ｙｅｓ）、ユーザは、表示画面１１１の操作により、フォーマット画像データＳＤ１、ＳＤ２のうちの１つのフォーマット画像データを選択して、選択されたフォーマット画像データの印刷を指示する旨を表す確認結果を、制御部１３０に送信する（Ｓ１０６）。
【００６７】
制御部１３０において、確認結果受付部１３３は、端末装置ＰＣから送信された確認結果を受け付ける（Ｓ１０７）。確認結果がフォーマット画像データＳＤ１、ＳＤ２の印刷を指示しない旨を表す場合（Ｓ１０８−Ｎｏ）、通常印刷処理部１３４は、通常印刷処理（Ｓ１１０）を実行する。一方、確認結果がフォーマット画像データの印刷を指示する旨を表す場合（Ｓ１０８−Ｙｅｓ）、裏紙使用印刷処理部１３５は、裏紙使用印刷処理を実行する（Ｓ１２０）。
【００６８】
図７は、本発明の第１実施形態に係る画像形成装置１００の動作として、通常印刷処理（Ｓ１１０）を示すフローチャートである。
【００６９】
通常印刷処理（Ｓ１１０）において、入力画像データの印刷指示に対して片面印刷が指示されている場合（Ｓ１１１−Ｎｏ）、通常印刷処理部１３４は、入力画像データを、それぞれ、用紙の表面に印刷するように画像形成部Ｐａ〜Ｐｄを制御する（Ｓ１１２）。例えば、図９に示されるように、入力画像データは、３ページ分の画像データを表す入力画像データＤ１１〜Ｄ１３である。この場合、入力画像データＤ１１〜Ｄ１３は、それぞれ、３枚の用紙である用紙ＰＰ１１〜ＰＰ１３の表面に印刷される。
【００７０】
一方、入力画像データの印刷指示に対して両面印刷が指示されている場合（Ｓ１１１−Ｙｅｓ）、通常印刷処理部１３４は、奇数ページ分の入力画像データを、それぞれ、用紙の表面に印刷し、偶数ページ分の入力画像データを、それぞれ、用紙の裏面に印刷するように画像形成部Ｐａ〜Ｐｄを制御する（Ｓ１１３）。
【００７１】
例えば、入力画像データは、３ページ分の画像データを表す入力画像データＤ２１〜Ｄ２５である（図１３参照）。この場合、入力画像データＤ２１〜Ｄ２５のうちの奇数ページ分の入力画像データＤ２１、Ｄ２３、Ｄ２５は、それぞれ、３枚の用紙である用紙ＰＰ２１〜ＰＰ２３の表面に印刷される。入力画像データＤ２１〜Ｄ２５のうちの偶数ページ分の入力画像データＤ２２、Ｄ２４は、それぞれ、用紙ＰＰ２１〜Ｐ２２の裏面に印刷される。
【００７２】
図８は、本発明の第１実施形態に係る画像形成装置１００の動作として、裏紙使用印刷処理（Ｓ１２０）を示すフローチャートである。
【００７３】
裏紙使用印刷処理（Ｓ１２０）において、裏紙使用印刷処理部１３５は、入力画像データを、それぞれ、用紙の表面に印刷し、選択されたフォーマット画像データを用紙の裏面に印刷するように画像形成部Ｐａ〜Ｐｄを制御する（Ｓ１２１）。
【００７４】
例えば、図１０に示されるように、入力画像データは、３ページ分の画像データを表す入力画像データＤ１１〜Ｄ１３であり、選択されたフォーマット画像データは、フォーマット画像データＳＤ２である。この場合、入力画像データＤ１１〜Ｄ１３は、それぞれ、３枚の用紙である用紙ＰＰ１１〜ＰＰ１３の表面に印刷される。フォーマット画像データＳＤ２は、用紙ＰＰ１１〜ＰＰ１３の裏面に印刷される。
【００７５】
以上の説明により、本発明の第１実施形態に係る画像形成装置１００では、記憶部１２０には、用紙の裏面を裏紙として使用するために予め作成された画像データであるフォーマット画像データＳＤ１、ＳＤ２が格納されている。印刷指示受付部１３１は、ユーザにより入力される画像データである入力画像データの印刷指示を受け付ける（Ｓ１０２）。裏紙印刷確認部１３２は、入力画像データの印刷指示を受け付けたときに、フォーマット画像データＳＤ１、ＳＤ２を用紙の裏面に印刷するか否かを確認するための確認情報をユーザに提示する（Ｓ１０３）。確認結果受付部１３３は、確認情報に応じたユーザによる確認結果を受け付ける（Ｓ１０７）。そこで、確認結果がフォーマット画像データＳＤ１、ＳＤ２の印刷を指示しない旨を表す場合（Ｓ１０８−Ｎｏ）、通常印刷処理部１３４は、入力画像データＤ１１〜Ｄ１３をそれぞれ用紙ＰＰ１１〜ＰＰ１３の表面に印刷するように画像形成部Ｐａ〜Ｐｄを制御する（Ｓ１１０；Ｓ１１２）。一方、確認結果がフォーマット画像データＳＤ２の印刷を指示する旨を表す場合（Ｓ１０８−Ｙｅｓ）、裏紙使用印刷処理部１３５は、入力画像データＤ１１〜Ｄ１３をそれぞれ用紙ＰＰ１１〜ＰＰ１３の表面に印刷し、フォーマット画像データＳＤ２を用紙ＰＰ１１〜ＰＰ１３の裏面に印刷するように画像形成部Ｐａ〜Ｐｄを制御する（Ｓ１２０；Ｓ１２１）。
【００７６】
このように、本発明の第１実施形態に係る画像形成装置１００によれば、用紙の裏面を裏紙として使用する場合に、フォーマット画像データＳＤ２が用紙ＰＰ１１〜ＰＰ１３の裏面に印刷される。このため、ユーザ自身がわざわざ給紙部（給紙カセット１６又は手差し給紙トレイ１７）に用紙をセットすることなく用紙の裏面を裏紙として使用することができる。また、本発明の第１実施形態に係る画像形成装置１００によれば、用紙の裏面を裏紙として使用するか否か（フォーマット画像データＳＤ１、ＳＤ２を用紙の裏面に印刷するか否か）について、確認情報によりユーザに確認を求めている。このため、特許文献１のように用紙の両面に予め決められたものを印刷する技術とは異なり、ユーザは、日々変化するような文書中心の書類に使用することができる。
【００７７】
また、本発明の第１実施形態に係る画像形成装置１００では、通常印刷処理部１３４は、確認結果がフォーマット画像データＳＤ２の印刷を指示しない旨を表していて（Ｓ１０８−Ｎｏ）、入力画像データＤ１１〜Ｄ１３の印刷指示に対して片面印刷が指示されている場合（Ｓ１１１−Ｎｏ）、入力画像データＤ１１〜Ｄ１３をそれぞれ用紙ＰＰ１１〜ＰＰ１３の表面に印刷するように画像形成部Ｐａ〜Ｐｄを制御する（Ｓ１１２）。また、通常印刷処理部１３４は、確認結果がフォーマット画像データＳＤ２の印刷を指示しない旨を表していて（Ｓ１０８−Ｎｏ）、入力画像データＤ２１〜Ｄ２５の印刷指示に対して両面印刷が指示されている場合（Ｓ１１１−Ｙｅｓ）、入力画像データＤ２１〜Ｄ２５のうちの奇数ページ分の入力画像データＤ２１、Ｄ２３、Ｄ２５をそれぞれ用紙ＰＰ２１〜ＰＰ２３の表面に印刷し、偶数ページ分の入力画像データＤ２２、Ｄ２４をそれぞれ用紙ＰＰ２１〜ＰＰ２２の裏面に印刷するように画像形成部Ｐａ〜Ｐｄを制御する（Ｓ１１３）。一方、裏紙使用印刷処理部１３５は、確認結果がフォーマット画像データＳＤ２の印刷を指示する旨を表す場合（Ｓ１０８−Ｙｅｓ）、入力画像データの印刷指示に対して片面印刷又は両面印刷が指示されていても、入力画像データＤ１１〜Ｄ１３をそれぞれ用紙ＰＰ１１〜ＰＰ１３の表面に印刷し、フォーマット画像データＳＤ２を用紙ＰＰ１１〜ＰＰ１３の裏面に印刷するように画像形成部Ｐａ〜Ｐｄを制御する（Ｓ１２１）。
【００７８】
このように、本発明の第１実施形態に係る画像形成装置１００によれば、本発明の第１実施形態に係る画像形成装置１００によれば、用紙の裏面を裏紙として使用するかい否かについて、確認情報によりユーザに確認を求めているため、用紙の裏面を裏紙として使用する場合は、フォーマット画像データＳＤ２が用紙ＰＰ１１〜ＰＰ１３の裏面に印刷される。
【００７９】
また、本発明の第１実施形態に係る画像形成装置１００では、給紙部（給紙カセット１６又は手差し給紙トレイ１７）から給紙される用紙は、国際規格（Ａ版）や国内規格（Ｂ版）で定められたコピー用紙である。このため、特許文献１のように用紙の両面に予め決められたものを印刷する技術とは異なり、ユーザは、日々変化するような文書中心の書類に使用することができる。
【００８０】
［第２実施形態］
第２実施形態では、第１実施形態からの変更点のみ説明する。
【００８１】
通常印刷処理（Ｓ１１０）において、入力画像データの印刷指示に対して両面印刷が指示されている場合（Ｓ１１１−Ｙｅｓ）、通常印刷処理部１３４は、第１実施形態におけるＳ１１３を実行する。
【００８２】
例えば、図１３に示されるように、入力画像データは、５ページ分の画像データを表す入力画像データＤ２１〜Ｄ２５である。この場合、入力画像データＤ２１〜Ｄ２５のうちの奇数ページ分の入力画像データＤ２１、Ｄ２３、Ｄ２５は、それぞれ、３枚の用紙である用紙ＰＰ２１〜ＰＰ２３の表面に印刷される。入力画像データＤ２１〜Ｄ２５のうちの偶数ページ分の入力画像データＤ２２、Ｄ２４は、それぞれ、用紙ＰＰ２１〜ＰＰ２２の裏面に印刷される。
【００８３】
図１１は、本発明の第２実施形態に係る画像形成装置１００の動作として、裏紙使用印刷処理（Ｓ１２０）を示すフローチャートである。
【００８４】
裏紙使用印刷処理（Ｓ１２０）において、入力画像データの印刷指示に対して片面印刷が指示されている場合（Ｓ２０１−Ｎｏ）、裏紙使用印刷処理部１３５は、第１実施形態におけるＳ１２１を実行する。一方、入力画像データの印刷指示に対して両面印刷が指示されている場合（Ｓ２０１−Ｙｅｓ）、裏紙使用印刷処理部１３５は、裏紙使用両面印刷処理（Ｓ２０２）を実行する。
【００８５】
図１２は、本発明の第２実施形態に係る画像形成装置１００の動作として、裏紙使用印刷処理（Ｓ１２０）内の裏紙使用両面印刷処理（Ｓ２０２）を示すフローチャートである。
【００８６】
裏紙使用両面印刷処理（Ｓ２０２）において、入力画像データの印刷予定のページ数が偶数である場合（Ｓ２１１−Ｎｏ）、裏紙使用印刷処理部１３５は、選択されたフォーマット画像データを印刷するページが無いため、第１実施形態におけるＳ１１３と同じ処理を実行する。即ち、奇数ページ分の入力画像データを、それぞれ、用紙の表面に印刷し、偶数ページ分の入力画像データを、それぞれ、用紙の裏面に印刷するように画像形成部Ｐａ〜Ｐｄを制御する（Ｓ２１２）。
【００８７】
一方、入力画像データの印刷予定のページ数が奇数である場合（Ｓ２１１−Ｙｅｓ）、裏紙使用印刷処理部１３５は、奇数ページ分の入力画像データを、それぞれ、用紙の表面に印刷し、偶数ページ分の入力画像データを、それぞれ、用紙の裏面に印刷し、選択されたフォーマット画像データを、最終ページ分の入力画像データが印刷される用紙の裏面に印刷するように画像形成部Ｐａ〜Ｐｄを制御する（Ｓ２１３）。
【００８８】
例えば、図１４に示されるように、入力画像データは、５ページ分の画像データを表す入力画像データＤ２１〜Ｄ２５であり、選択されたフォーマット画像データは、フォーマット画像データＳＤ２である。この場合、入力画像データＤ２１〜Ｄ２５のうちの奇数ページ分の入力画像データＤ２１、Ｄ２３、Ｄ２５は、それぞれ、３枚の用紙である用紙ＰＰ２１〜ＰＰ２３の表面に印刷され、偶数ページ分の入力画像データＤ２２、Ｄ２４は、それぞれ、用紙ＰＰ２１〜ＰＰ２２の裏面に印刷される。フォーマット画像データＳＤ２は、最終ページ分の入力画像データＤ２５が印刷される用紙ＰＰ２３の裏面に印刷される。
【００８９】
本実施形態では、フォーマット画像データの印刷指示に対して入力画像データの印刷予定のページ数が奇数である場合に、フォーマット画像データＳＤ２は、最終ページ分の入力画像データＤ２５が印刷される用紙ＰＰ２３の裏面に印刷しているが、先頭ページ分の入力画像データＤ２１が印刷される用紙ＰＰ２１の裏面に印刷してもよい。
【００９０】
図１５は、本発明の第２実施形態に係る画像形成装置１００の他の動作として、裏紙使用印刷処理（Ｓ１２０）内の裏紙使用両面印刷処理（Ｓ２０２）を示すフローチャートである。
【００９１】
入力画像データの印刷予定のページ数が奇数である場合（Ｓ２１１−Ｙｅｓ）、裏紙使用印刷処理部１３５は、先頭ページ及び偶数ページ分の入力画像データを、それぞれ、用紙の表面に印刷し、先頭ページ以外の奇数ページ分の入力画像データを、それぞれ、先頭ページ分の入力画像データが印刷される用紙以外の用紙の裏面に印刷し、選択されたフォーマット画像データを、先頭ページ分の入力画像データが印刷される用紙の裏面に印刷するように画像形成部Ｐａ〜Ｐｄを制御する（Ｓ２１４）。
【００９２】
例えば、図１６に示されるように、入力画像データが５ページ分の画像データを表す入力画像データＤ２１〜Ｄ２５であり、選択されたフォーマット画像データがフォーマット画像データＳＤ２である。この場合、入力画像データＤ２１〜Ｄ２５のうちの先頭ページ及び偶数ページ分の入力画像データＤ２１、Ｄ２２、Ｄ２４は、それぞれ、３枚の用紙である用紙ＰＰ２１〜ＰＰ２３の表面に印刷される。入力画像データＤ２１〜Ｄ２５のうちの先頭ページ以外の奇数ページ分の入力画像データＤ２３、Ｄ２５は、それぞれ、先頭ページ分の入力画像データＤ２１が印刷される用紙ＰＰ２１以外の用紙ＰＰ２２〜ＰＰ２３の裏面に印刷される。フォーマット画像データＳＤ２は、先頭ページ分の入力画像データＤ２１が印刷される用紙ＰＰ２１の裏面に印刷される。
【００９３】
以上の説明により、本発明の第２実施形態に係る画像形成装置１００では、裏紙使用印刷処理部１３５は、確認結果がフォーマット画像データＳＤ２の印刷を指示する旨を表していて（Ｓ１０８−Ｙｅｓ）、入力画像データＤ１１〜Ｄ１３の印刷指示に対して片面印刷が指示されている場合（Ｓ２０１−Ｎｏ）、入力画像データＤ１１〜Ｄ１３をそれぞれ用紙ＰＰ１１〜ＰＰ１３の表面に印刷し、フォーマット画像データＳＤ２を用紙ＰＰ１１〜ＰＰ１３の裏面に印刷するように画像形成部Ｐａ〜Ｐｄを制御する（Ｓ１２１）。そこで、裏紙使用印刷処理部１３５は、確認結果がフォーマット画像データＳＤ２の印刷を指示する旨を表していて（Ｓ１０８−Ｙｅｓ）、入力画像データＤ２１〜Ｄ２５の印刷指示に対して両面印刷が指示されていて（Ｓ２０１−Ｙｅｓ）、入力画像データＤ２１〜Ｄ２５の印刷予定のページ数が奇数である場合（Ｓ２１１−Ｙｅｓ）、入力画像データＤ２１〜Ｄ２５のうちの奇数ページ分の入力画像データＤ２１、Ｄ２３、Ｄ２５をそれぞれ用紙ＰＰ２１〜ＰＰ２３の表面に印刷し、偶数ページ分の入力画像データＤ２２、Ｄ２４をそれぞれ用紙ＰＰ２１〜ＰＰ２２の裏面に印刷し、フォーマット画像データＳＤ２を、最終ページ分の入力画像データＤ２５が印刷される用紙ＰＰ２３の裏面に印刷するように画像形成部Ｐａ〜Ｐｄを制御する（Ｓ２１３）。
【００９４】
このように、本発明の第２実施形態に係る画像形成装置１００によれば、ユーザが用紙の裏面を裏紙として使用する目的で、入力画像データＤ１１〜Ｄ１３に対して片面印刷を指示することにより、フォーマット画像データＳＤ２が用紙ＰＰ１１〜ＰＰ１３の裏面に印刷される。また、ユーザが用紙の裏面を裏紙として使用する目的で、印刷予定のページ数が奇数である入力画像データＤ２１〜Ｄ２５に対して両面印刷を指示することにより、フォーマット画像データＳＤ２が、最終ページ分の入力画像データＤ２５が印刷される用紙ＰＰ２３の裏面に印刷される。このため、ユーザ自身がわざわざ給紙部（給紙カセット１６又は手差し給紙トレイ１７）に用紙をセットすることなく用紙の裏面を裏紙として使用することができる。また、本発明の第２実施形態に係る画像形成装置１００によれば、用紙の裏面を裏紙として使用するか否かについて、確認情報によりユーザに確認を求めている。このため、特許文献１のように用紙の両面に予め決められたものを印刷する技術とは異なり、ユーザは、日々変化するような文書中心の書類に使用することができる。
【００９５】
また、本発明の第２実施形態に係る画像形成装置１００では、裏紙使用印刷処理部１３５は、確認結果がフォーマット画像データＳＤ２の印刷を指示する旨を表していて（Ｓ１０８−Ｙｅｓ）、入力画像データＤ２１〜Ｄ２５の印刷指示に対して両面印刷が指示されていて（Ｓ２０１−Ｙｅｓ）、入力画像データＤ２１〜Ｄ２５の印刷予定のページ数が奇数である場合（Ｓ２１１−Ｙｅｓ）、入力画像データＤ２１〜Ｄ２５のうちの先頭ページ及び偶数ページ分の入力画像データＤ２１、Ｄ２２、Ｄ２４をそれぞれ用紙ＰＰ２１〜ＰＰ２３の表面に印刷し、先頭ページ以外の奇数ページ分の入力画像データＤ２３、Ｄ２５を、それぞれ、先頭ページ分の入力画像データＤ２１が印刷される用紙ＰＰ２１以外の用紙ＰＰ２２〜ＰＰ２３の裏面に印刷し、フォーマット画像データＳＤ２を、先頭ページ分の入力画像データＤ２１が印刷される用紙ＰＰ２１の裏面に印刷するように画像形成部Ｐａ〜Ｐｄを制御する（Ｓ２１４）。
【００９６】
このように、本発明の第２実施形態に係る画像形成装置１００によれば、ユーザが用紙の裏面を裏紙として使用する目的で、印刷予定のページ数が奇数である入力画像データＤ２１〜Ｄ２５に対して両面印刷を指示することにより、フォーマット画像データＳＤ２が、先頭ページ分の入力画像データＤ２１が印刷される用紙ＰＰ２１の裏面に印刷される。このため、２ページ目以降の入力画像データＤ２２〜２５に重要情報が含まれている場合に有効である。
【００９７】
［第３実施形態］
第３実施形態では、第２実施形態からの変更点のみ説明する。
【００９８】
図１７は、本発明の第３実施形態に係る画像形成装置１００の動作として、裏紙使用印刷処理（Ｓ１２０）を示すフローチャートである。
【００９９】
裏紙使用印刷処理（Ｓ１２０）において、入力画像データの印刷指示に対して片面印刷が指示されていて、フォーマット画像データの印刷指示に対してページが指定されていない場合（Ｓ２０１−Ｎｏ、Ｓ３０１−Ｎｏ）、裏紙使用印刷処理部１３５は、第１実施形態におけるＳ１２１を実行する。
【０１００】
一方、入力画像データの印刷指示に対して、片面印刷が指示されていて、入力画像データの印刷予定のページ数からユーザによりページが指定されている場合（Ｓ２０１−Ｎｏ、Ｓ３０１−Ｙｅｓ）、裏紙使用印刷処理部１３５は、入力画像データを、それぞれ、用紙の表面に印刷し、選択されたフォーマット画像データを、指定されたページ分の入力画像データが印刷される用紙の裏面に印刷するように画像形成部Ｐａ〜Ｐｄを制御する（Ｓ３０２）。
【０１０１】
例えば、図１８に示されるように、入力画像データは、３ページ分の画像データを表す入力画像データＤ３１〜Ｄ３３であり、選択されたフォーマット画像データは、フォーマット画像データＳＤ２である。更に、入力画像データＤ３１〜Ｄ３３の印刷指示に対して、ユーザにより２ページ目が指定されている。この場合、入力画像データＤ３１〜Ｄ３３は、それぞれ、３枚の用紙である用紙ＰＰ３１〜ＰＰ３３の表面に印刷される。フォーマット画像データＳＤ２は、用紙ＰＰ３１〜ＰＰ３３のうちの、２ページ目の入力画像データである入力画像データＤ３２が印刷される用紙ＰＰ３２の裏面に印刷される。
【０１０２】
入力画像データの印刷指示に対して両面印刷が指示されている場合（Ｓ２０１−Ｙｅｓ）、裏紙使用印刷処理部１３５は、第２実施形態における裏紙使用両面印刷処理（Ｓ２０２）を実行する。
【０１０３】
以上の説明により、本発明の第３実施形態に係る画像形成装置１００では、裏紙使用印刷処理部１３５は、確認結果がフォーマット画像データＳＤ２の印刷を指示する旨を表していて（Ｓ１０８−Ｙｅｓ）、入力画像データＤ３１〜Ｄ３３の印刷指示に対して、片面印刷が指示されていて（Ｓ２０１−Ｎｏ）、入力画像データＤ３１〜Ｄ３３の印刷予定のページ数からユーザによりページが指定されている場合（Ｓ３０１−Ｙｅｓ）、入力画像データＤ３１〜Ｄ３３をそれぞれ用紙ＰＰ３１〜ＰＰ３３の表面に印刷し、フォーマット画像データＳＤ２を、指定されたページ分の入力画像データＤ３２が印刷される用紙ＰＰ３２の裏面に印刷するように画像形成部Ｐａ〜Ｐｄを制御する（Ｓ３０２）。
【０１０４】
このように、本発明の第３実施形態に係る画像形成装置１００によれば、ユーザが用紙の裏面を裏紙として使用する目的で、入力画像データＤ３１〜Ｄ３３の印刷予定のページ数から任意のページを指定することにより、フォーマット画像データＳＤ２が、指定されたページ分の入力画像データＤ３２が印刷される用紙ＰＰ３２の裏面に印刷される。このため、指定されない１、３ページ目の入力画像データＤ３１、３３に重要情報が含まれている場合に有効である。
【０１０５】
［第４実施形態］
第４実施形態では、第３実施形態からの変更点のみ説明する。
【０１０６】
図１９は、本発明の第４実施形態に係る画像形成装置１００の電気的構成を示すブロック図である。その画像形成装置１００の制御部１３０は、更に、ドキュメントコントロール部１３６を具備している。ドキュメントコントロール機能部１３６は、二次印刷及び二次コピーを防止するためのドキュメントコントロールパターンを用紙に埋め込む機能を有している。ドキュメントコントロールパターンが埋め込まれた用紙は、極秘文書は機密文書などの重要な書類である場合に有効である。
【０１０７】
ユーザは、入力画像データに対して重要な情報（重要情報）を含むページが存在する場合、フォーマット画像データの印刷指示に対して、重要情報を含むページ以外のページの入力画像データを指定すればよい。即ち、指定されたページ以外のページ分の入力画像データは、重要情報を含むページ分の入力画像データである。
【０１０８】
図２０は、本発明の第４実施形態に係る画像形成装置１００の動作として、裏紙使用印刷処理（Ｓ１２０）を示すフローチャートである。
【０１０９】
裏紙使用印刷処理（Ｓ１２０）において、入力画像データの印刷指示に対して片面印刷が指示されていて、フォーマット画像データの印刷指示に対してページが指定されていない場合（Ｓ２０１−Ｎｏ、Ｓ３０１−Ｎｏ）、裏紙使用印刷処理部１３５は、第１実施形態におけるＳ１２１を実行する。
【０１１０】
一方、入力画像データの印刷指示に対して、片面印刷が指示されていて、入力画像データの印刷予定のページ数からユーザによりページが指定されている場合（Ｓ２０１−Ｎｏ、Ｓ３０１−Ｙｅｓ）、裏紙使用印刷処理部１３５は、入力画像データのうちの、指定されたページ以外のページ分の入力画像データが印刷される用紙に対して、ドキュメントコントロールパターンを埋め込むようにドキュメントコントロール部１３６を制御する（Ｓ４０１）。裏紙使用印刷処理部１３５は、入力画像データを、それぞれ、用紙の表面に印刷し、選択されたフォーマット画像データを、指定されたページ分の入力画像データが印刷される用紙の裏面に印刷するように画像形成部Ｐａ〜Ｐｄを制御する（Ｓ３０２）。
【０１１１】
例えば、図２１に示されるように、入力画像データは、３ページ分の画像データを表す入力画像データＤ４１〜Ｄ４３であり、選択されたフォーマット画像データは、フォーマット画像データＳＤ２である。１〜２ページ目の入力画像データである入力画像データＤ４１〜Ｄ４２は、それぞれ、重要情報Ｃ４１〜Ｃ４２を含んでいる。３ページ目の入力画像データである入力画像データＤ４３は、重要情報を含んでいない。このため、入力画像データＤ４１〜Ｄ４３の印刷指示に対して、ユーザにより３ページ目が指定されている。１〜２ページ目は指定されていない。この場合、３枚の用紙である用紙ＰＰ４１〜ＰＰ４３のうちの、指定されていない１〜２ページ目の入力画像データである入力画像データＤ４１〜Ｄ４２が印刷される用紙ＰＰ４１〜ＰＰ４２に対して、ドキュメントコントロールパターンが埋め込まれる。入力画像データＤ４１〜Ｄ４３は、それぞれ、用紙ＰＰ４１〜ＰＰ４３の表面に印刷される。フォーマット画像データＳＤ２は、用紙ＰＰ４１〜ＰＰ４３のうちの、３ページ目の入力画像データである入力画像データＤ４３が印刷される用紙ＰＰ４３の裏面に印刷される。
【０１１２】
入力画像データの印刷指示に対して両面印刷が指示されている場合（Ｓ２０１−Ｙｅｓ）、裏紙使用印刷処理部１３５は、第２実施形態における裏紙使用両面印刷処理（Ｓ２０２）を実行する。
【０１１３】
以上の説明により、本発明の第４実施形態に係る画像形成装置１００では、指定されたページ以外のページ分の入力画像データＤ４１〜Ｄ４２は、重要情報Ｃ４１〜Ｃ４２を含むページ分の入力画像データである。指定されたページ分の入力画像データＤ４３は、入力画像データＤ４１〜Ｄ４３の印刷指示に対して、ユーザにより指定される。このように、本発明の第４実施形態に係る画像形成装置１００によれば、指定されない１〜２ページ目の入力画像データＤ４１〜４２に重要情報Ｃ４１〜Ｃ４２が含まれている場合に有効である。
【０１１４】
また、本発明の第４実施形態に係る画像形成装置１００では、ドキュメントコントロール部１３６は、二次印刷を防止するためのドキュメントコントロールパターンを用紙に埋め込む機能を有している。そこで、裏紙使用印刷処理部１３５は、確認結果がフォーマット画像データＳＤ２の印刷を指示する旨を表していて（Ｓ１０８−Ｙｅｓ）、入力画像データＤ４１〜Ｄ４３の印刷指示に対して、片面印刷が指示されていて（Ｓ２０１−Ｎｏ）、入力画像データＤ４１〜Ｄ４３の印刷予定のページ数からユーザによりページが指定されている場合（Ｓ３０１−Ｙｅｓ）、入力画像データＤ４１〜Ｄ４３のうちの、指定されたページ以外のページ分の入力画像データＤ４１〜Ｄ４２が印刷される用紙ＰＰ４１〜ＰＰ４２に対して、ドキュメントコントロールパターンを埋め込むようにドキュメントコントロール部１３６を制御する（Ｓ４０１）。裏紙使用印刷処理部１３５は、入力画像データＤ４１〜Ｄ４３をそれぞれ用紙ＰＰ４１〜ＰＰ４３の表面に印刷し、フォーマット画像データＳＤ２を、指定されたページ分の入力画像データＤ４３が印刷される用紙ＰＰ４３の裏面に印刷するように画像形成部Ｐａ〜Ｐｄを制御する（Ｓ３０２）。
【０１１５】
このように、本発明の第４実施形態に係る画像形成装置１００によれば、ユーザが用紙の裏面を裏紙として使用する目的ではあるが、用紙によっては重要情報が表記されるものもある。この場合、ユーザが入力画像データＤ４１〜Ｄ４３の印刷予定のページ数から重要情報を含まないページを指定することにより、重要情報を含む１〜２ページ目の入力画像データＤ４１〜Ｄ４２が印刷される用紙ＰＰ４１〜ＰＰ４２に対して、ドキュメントコントロールパターンが埋め込まれ、フォーマット画像データＳＤ２が、指定されたページ分の入力画像データＤ４３が印刷される用紙ＰＰ４３の裏面のみに印刷される。このように、本発明の第４実施形態に係る画像形成装置１００によれば、１〜２ページ目の入力画像データＤ４１〜４２に重要情報Ｃ４１〜Ｃ４２が含まれている場合に、入力画像データＤ４１〜４２が印刷される用紙ＰＰ４１〜ＰＰ４２を保護することができる。
【０１１６】
［第５実施形態］
第５実施形態では、第１〜第４実施形態からの変更点のみ説明する。
【０１１７】
図２２は、本発明の第５実施形態に係る画像形成装置１００の記憶部１２０に更に格納されたフォーマット画像データＳＤ３を示す図である。
【０１１８】
フォーマット画像データＳＤ３は、例えば、入力画像データの一部に重要な情報が含まれている場合にユーザにより選択される。フォーマット画像データＳＤ３は、例えば、１枚の用紙の一部分に、例えば上半分に、２つの画像データが割り付けられた単位フォーマット画像データＳＤ３１〜ＳＤ３２を含み、単位フォーマット画像データＳＤ３１〜ＳＤ３２は、第１実施形態と同様に、電話メモを表している。フォーマット画像データＳＤ３は、用紙の裏面を裏紙として使用するために予め作成され、記憶部１２０に格納される。フォーマット画像データＳＤ３が用紙の裏面に印刷された場合、フォーマット画像データＳＤ３が印刷された用紙の上半分は、単位フォーマット画像データＳＤ３１〜ＳＤ３２が印刷された部分に分けられるように、ハサミやカッターナイフで切られ、切られた部分は電話メモとして使われる。
【０１１９】
例えば、図２３に示されるように、入力画像データは、３ページ分の画像データを表す入力画像データＤ５１〜Ｄ５３である。この場合、入力画像データＤ５１〜Ｄ５３は、それぞれ、３枚の用紙である用紙ＰＰ５１〜ＰＰ５３の表面に印刷される。ここで、入力画像データＤ５１〜Ｄ５３に個人情報である重要情報Ｃ５１が含まれている場合、入力画像データＤ５１〜Ｄ５３が印刷された用紙ＰＰ５１〜ＰＰ５３の表面の一部、例えば下半分には、重要情報Ｃ５１（個人情報）が表記される。このため、ユーザが、入力画像データＤ５１〜Ｄ５３の印刷を指示し、フォーマット画像データＳＤ２の印刷を指示した場合、フォーマット画像データＳＤ２が用紙ＰＰ５１〜ＰＰ５３の裏面に印刷されてしまう。その結果、用紙ＰＰ５１〜ＰＰ５３の裏面に個人情報が表記されているにも関わらず、電話メモとして使われてしまう。
【０１２０】
そこで、ユーザは、重要情報を含む入力画像データＤ５１〜Ｄ５３の印刷を指示するときに、フォーマット画像データＳＤ１〜ＳＤ３の中から、用紙の一部分に画像データが割り付けられたフォーマット画像データＳＤ３を選択し、フォーマット画像データＳＤ３の印刷を指示する。この場合、図２４に示されるように、入力画像データＤ５１〜Ｄ５３は、それぞれ、用紙ＰＰ５１〜ＰＰ５３の表面に印刷され、フォーマット画像データＳＤ３は、用紙ＰＰ５１〜ＰＰ５３の裏面に印刷される。即ち、フォーマット画像データＳＤ３の単位フォーマット画像データＳＤ３１〜ＳＤ３２が用紙ＰＰ５１〜ＰＰ５３の裏面の上半分のみに印刷される。用紙ＰＰ５１〜ＰＰ５３の裏面の下半分には単位フォーマット画像データＳＤ３１〜ＳＤ３２が印刷されないため、用紙ＰＰ５１〜ＰＰ５３の下半分は電話メモとして使われない。
【０１２１】
以上の説明により、本発明の第５実施形態に係る画像形成装置１００では、記憶部１２０には、第１〜第４実施形態におけるフォーマット画像データＳＤ１、ＳＤ２である第１のフォーマット画像データと、用紙の一部分に画像データが割り付けられたフォーマット画像データＳＤ３である第２のフォーマット画像データとが格納されている。第２のフォーマット画像データ（フォーマット画像データＳＤ３）は、入力画像データＤ５１〜Ｄ５３の一部に重要情報Ｃ５１が含まれている場合にユーザにより選択される。このように、本発明の第５実施形態に係る画像形成装置１００によれば、入力画像データＤ５１〜Ｄ５３の一部に重要情報Ｃ５１が含まれている場合に有効である。
【０１２２】
尚、本発明は、画像形成を行う際に画質調整を行う機能を備える画像形成装置であれば、上述したような構成の画像形成装置や複写機に限定されるものではなく、その他の画像形成装置等に展開が可能である。
【０１２３】
以上のように、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【符号の説明】
【０１２４】
４  …  ポリゴンミラー、
７  …  第１反射ミラー、
８  …  第２反射ミラー、
１１  …  中間転写ベルト、
１１ａ  …  駆動ローラ、
１１ｂ  …  従動ローラ、
１２  …  クリーニングユニット、
１３（１３ａ〜１３ｄ）  …  一次転写ローラ、
１４  …  二次転写ローラ、
１５  …  定着装置、
１５ａ  …  加熱ローラ、
１５ｂ  …  加圧ローラ、
１６  …  給紙カセット、
１６ａ、１７ａ  …  ピックアップローラ、
１７  …  手差し給紙トレイ、
１８  …  排紙トレイ、
１８ａ  …  排紙ローラ、
１９  …  レジストローラ、
１００  …  画像形成装置、
１０１（１０１ａ〜１０１ｄ）  …  感光体ドラム、
１０２（１０２ａ〜１０２ｄ）  …  現像装置、
１０３（１０３ａ〜１０３ｄ）  …  帯電ローラ（帯電装置）、
１０４（１０４ａ〜１０４ｄ）  …  クリーニングユニット、
１１０  …  表示装置、
１１１  …  表示画面、
１２０  …  記憶部、
１３０  …  制御部、
１３１  …  印刷指示受付部、
１３２  …  裏紙印刷確認部、
１３３  …  確認結果受付部、
１３４  …  通常印刷処理部、
１３５  …  裏紙使用印刷処理部、
１３６  …  ドキュメントコントロール部、
Ｃ４１〜Ｃ４２  …  重要情報、
Ｃ５１  …  重要情報、
Ｄ１１〜Ｄ１３  …  入力画像データ、
Ｄ２１〜Ｄ２５  …  入力画像データ、
Ｄ３１〜Ｄ３３  …  入力画像データ、
Ｄ４１〜Ｄ４３  …  入力画像データ、
Ｄ５１〜Ｄ５３  …  入力画像データ、
Ｅ  …  露光ユニット（露光装置）、
ＮＥ  …  ネットワーク、
Ｐ１、Ｐ２、Ｐ３  …  用紙搬送路、
Ｐａ〜Ｐｄ  …  画像形成部、
ＰＣ  …  端末装置、
ＰＰ１１〜ＰＰ１３  …  用紙、
ＰＰ２１〜ＰＰ２３  …  用紙、
ＰＰ３１〜ＰＰ３３  …  用紙、
ＰＰ４１〜ＰＰ４３  …  用紙、
ＰＰ５１〜ＰＰ５３  …  用紙、
ｒ  …  搬送ローラ、
ＳＤ１  …  フォーマット画像データ、
ＳＤ２  …  フォーマット画像データ、
ＳＤ２１〜ＳＤ２４  …  単位フォーマット画像データ、
ＳＤ３  …  フォーマット画像データ、
ＳＤ３１〜ＳＤ３２  …  単位フォーマット画像データ
【図１】
2015074115.tif 000003
【図２】
2015074115.tif 000004
【図３】
2015074115.tif 000005
【図４】
2015074115.tif 000006
【図５】
2015074115.tif 000007
【図６】
2015074115.tif 000008
【図７】
2015074115.tif 000009
【図８】
2015074115.tif 000010
【図９】
2015074115.tif 000011
【図１０】
2015074115.tif 000012
【図１１】
2015074115.tif 000013
【図１２】
2015074115.tif 000014
【図１３】
2015074115.tif 000015
【図１４】
2015074115.tif 000016
【図１５】
2015074115.tif 000017
【図１６】
2015074115.tif 000018
【図１７】
2015074115.tif 000019
【図１８】
2015074115.tif 000020
【図１９】
2015074115.tif 000021
【図２０】
2015074115.tif 000022
【図２１】
2015074115.tif 000023
【図２２】
2015074115.tif 000024
【図２３】
2015074115.tif 000025
【図２４】
2015074115.tif 000026